(57)【特許請求の範囲】
【請求項１】
複数本のワイヤハーネスを保持するワイヤハーネス保持部を有するクランプであって、
前記ワイヤハーネス保持部は、上部が開放したＵ字溝を有するように形成されて複数本のワイヤハーネスを収容する空間を形成した剛性の保持部本体と、前記保持部本体の開放上部を閉じるカバー部とを備え、
前記保持部本体には、前記Ｕ字溝の中間高さ位置から底面側の内壁面に、複数本のワイヤハーネスを底面から積み重ねるように整列させる複数の突条がワイヤハーネスの長手方向に延びて形成されており、前記Ｕ字溝の中間高さ位置から上方の前記開放部分は前記中間高さ位置より多い数のワイヤハーネスが収容できる幅に形成されており、
前記カバー部には、該カバー部が閉じた状態において前記Ｕ字溝の開放部を閉じて前記複数本のワイヤハーネスの上部を弾性的に押さえる、弾性のハーネス押さえ片が形成されており、
前記Ｕ字溝に収容された複数本のワイヤハーネス外周全体が、前記Ｕ字溝の内壁面と前記ハーネス押さえ片とによって包み込まれて、ワイヤハーネスが軸方向にスライドするのを阻止し且つ前記軸方向に直交する方向のがたつきを阻止する、
ことを特徴とするクランプ。
【請求項２】
請求項１に記載のクランプにおいて、前記カバー部の一端と前記保持部本体の一方の側部とがヒンジで連結されて、該ヒンジ回りにカバー部が旋回して前記保持部本体の開放部分を閉じる構成である、ことを特徴とするクランプ。
【請求項３】
請求項２に記載のクランプにおいて、前記カバー部には、前記ヒンジと反対の端部にロック部が形成され、前記保持部本体には、前記ヒンジと反対の側部に、前記ロック部に係止する係止部が形成されており、前記ヒンジ回りにカバー部が旋回して前記保持部本体の開放部を閉じると前記ロック部が前記係止部に係止して前記開放部分を閉じた状態を維持する構成である、ことを特徴とするクランプ。
【請求項４】
請求項３に記載のクランプにおいて、前記ロック部は、前記係止部に係止する第１ロック爪と第２ロック爪とを有し、前記第１ロック爪は、前記カバー部が前記保持部本体のワイヤハーネスの収容空間の上部の空間をやや拡げる姿勢で前記係止部に係止する位置に形成されており、前記第２ロック爪は、前記カバー部が前記保持部本体のワイヤハーネスの収容空間の上部の空間を拡げない姿勢で前記係止部に係止する位置に形成されている、ことを特徴とするクランプ。
【請求項５】
請求項１〜４のいずれか１項に記載のクランプにおいて、４本の前記突条が、前記Ｕ字溝の底面に１本のワイヤハーネスを位置決めしそのワイヤハーネスの上に２本のワイヤハーネスを積み重ねて整列させる輪郭を形成するように、設けられ、３本のワイヤハーネスが逆三角形に積み重ねて整列される、ことを特徴とするクランプ。
【請求項６】
請求項５に記載のクランプにおいて、前記Ｕ字溝の中間高さ位置の内壁面から上方の開放部分までの内壁面は、該Ｕ字溝の幅が、中間高さ位置より大きく形成されて、中間高さ位置の２本のワイヤハーネスの上面に３本のワイヤハーネスを整列した状態に積み重ねることのできる幅に形成され、６本のワイヤハーネスが逆三角形に積み重ねて整列される、ことを特徴とするクランプ。
【請求項７】
請求項１〜６のいずれか１項に記載のクランプにおいて、前記ハーネス押さえ片は、前記Ｕ字溝に収容されたワイヤハーネスの上面を弾性的に押圧する先端部を備え、該先端部の横断面が、前記ワイヤハーネスの上面の長手方向の中程の部分を強く押さえる湾曲部を有する、ことを特徴とするクランプ。
【請求項８】
請求項１〜５のいずれか１項に記載のクランプにおいて、更に、前記ワイヤハーネス保持部には、パネル等の被取付部材に固定されるパネル固定部が一体成形されている、ことを特徴とするクランプ。
【請求項９】
請求項８に記載のクランプにおいて、前記パネル固定部は、前記ワイヤハーネス保持部と一体に形成された本体部と、該本体部に保持連結された金属製の保持片とから成り、前記保持片には一対の弾性係止片が形成されて、該一対の弾性係止片が、パネルに立設された板形状の取付部を挟持する、ことを特徴とするクランプ。
【発明の詳細な説明】
【技術分野】
【０００１】
本発明は、複数本のワイヤハーネスを多少にかかわらず、テープで巻回したのと同様に安定して保持するクランプに関する。
【背景技術】
【０００２】
複数本のワイヤハーネスをパネル等の被取付部材に取付けるのに、複数本のワイヤハーネスをテープで巻き付けるのが一般的である。テープで巻回することによって、複数本のワイヤハーネスは、相互に軸方向にも軸方向に直交する方向にずれなくできる。しかし、テープの巻き付け作業は時間がかかり、一定レベルの技術を必要とする。
【０００３】
【特許文献１】実開平５−０４７６６６号公報
【特許文献２】実開平７−００２６９０号公報
【特許文献３】特開平７−０５９２３２号公報
【特許文献４】特開２００６−１８７０９５号公報
【特許文献５】特開２００５−１１３９５３号公報
【発明の開示】
【発明が解決しようとする課題】
【０００４】
特許文献１には、コード等の線状物を約３〜８個のいずれでも被取付部材に留め付けできるようにする線状物の留め具が記載されている。この留め具においては、取付基板の一端部にヒンジ部を介して折り曲げ自由な押圧挟持片が設けられ、取付基板の他端部には押圧挟持片の揺動軌跡の円弧に沿って弧状の係止片を立設され、押圧挟持片の自由端部には係止片を受け入れる空部を備えた倒立Ｕ字形断面形の係止部が設られ、係止部と係止片との係合により、取付基板と押圧挟持片との間に３〜８本の線状物が締め付け状態に留め付けられる。特許文献１は、１つの留め具によって、複数のコード等の線状物を被取付部材に留める構成を記載している。しかし、この留め具は、複数の線状物をテープで巻回したように、複数の線状物を、その軸方向に直交する方向にもその軸方向にも移動できないように留めるものではない。
【０００５】
特許文献２は、２本の電線等の長尺部材を被取付部材に固定できる電線等の保持具を記載している。この保持具は、２本の電線を別々に取付ける構造であって、複数本のワイヤハーネス等の長尺部材を一緒に固定することはできない。特許文献３は、電線を容易に車両本体等の被取付部材に固定できる、安価な電線用クリップを記載している。このクリップは、１本の長尺部材を固定する構造であって、複数本のワイヤハーネス等の長尺部材を一緒に固定することはできない。
【０００６】
特許文献４に記載された長尺物固定具は、半円の溝形状の収容部に複数の長尺物を収容し、その上からヒンジ回りに旋回した蓋部を閉じて長尺物を保持する。蓋部には半円形状の弾性押圧片が設けられて、蓋部を閉じた状態で長尺物の上面を押圧している。この長尺物固定具は、収容部が半円の溝形状に形成されているため、左右に隙間があり、その隙間に長尺物が移動するおそれがあり、軸方向に直交する方向への移動を阻止するように留めるものではない。更に、特許文献５のケーブルクランプは、１本のケーブルを強固に保持する構造である。このケーブルクランプは、複数本のワイヤハーネス等の長尺部材を一緒に固定する構造ではない。また、テープ巻き付けのように複数本のケーブル全体を包み込むように保持するものではない。ホルダーを記載している。
【０００７】
従って、本発明の目的は、複数本のワイヤハーネスを、テープ巻き付け作業を不要にするとともに、複数本のワイヤハーネスをテープで巻回したように複数本のワイヤハーネスの軸方向にも及び軸方向に直交する方向にも移動できないように留める、ワイヤハーネスのクランプを提供することにある。
【課題を解決するための手段】
【０００８】
かかる目的を達成するため、本発明による、複数本のワイヤハーネスを保持するワイヤハーネス保持部を有するクランプは、ワイヤハーネス保持部が、上部が開放したＵ字溝を有するように形成されて複数本のワイヤハーネスを収容する空間を形成した剛性の保持部本体と、保持部本体の開放上部を閉じるカバー部とを備え、保持部本体には、Ｕ字溝の中間高さ位置から底面側の内壁面に、複数本のワイヤハーネスを底面から積み重ねるように整列させる複数の突条がワイヤハーネスの長手方向に延びて形成されており、Ｕ字溝の中間高さ位置から上方の開放部分は中間高さ位置より多い数のワイヤハーネスが収容できる幅に形成されており、カバー部には、カバー部が閉じた状態においてＵ字溝の開放部を閉じて複数本のワイヤハーネスの上部を弾性的に押さえる、弾性のハーネス押さえ片が形成されており、Ｕ字溝に収容された複数本のワイヤハーネス外周全体が、Ｕ字溝の内壁面とハーネス押さえ片とによって包み込まれて、ワイヤハーネスが軸方向にスライドするのを阻止し且つ軸方向に直交する方向のがたつきを阻止する、ことを特徴とする。
【０００９】
上記のように、本発明に係るクランプは、Ｕ字溝に収容された複数本のワイヤハーネス外周全体が、Ｕ字溝の内壁面とハーネス押さえ片とによって、弾性的に押圧するように包み込まれて、ワイヤハーネスが軸方向にスライドするのを阻止し且つ軸方向に直交する方向のがたつきを阻止するので、複数本のワイヤハーネスをテープで巻回したと同じ効果を奏するので、面倒なテープ巻き付け作業を廃止でき、異なる本数のワイヤハーネスであっても、同じクランプで保持でき、クランプの共用化が図れる。そして、保持部本体には、Ｕ字溝の中間高さ位置から底面側の内壁面において複数本のワイヤハーネスを底面から積み重ねるように整列させる複数の突条がワイヤハーネスの長手方向に延びて形成され、Ｕ字溝の中間高さ位置から上方の開放部分は中間高さ位置より多い数のワイヤハーネスが収容できる幅に形成されるので、ワイヤハーネスを事前に整列する必要なしに、ワイヤハーネスを引っ張った状態で保持部本体のＵ字溝に配置することで整列させて保持できる。更に、保持部本体が簡単な形状なので、クランプのコストも安価にできる。
【００１０】
上記クランプにおいて、カバー部の一端と保持部本体の一方の側部とがヒンジで連結されて、ヒンジ回りにカバー部が旋回して保持部本体の開放部分を閉じる構成である。そのクランプにおいて、カバー部には、ヒンジと反対の端部にロック部が形成され、保持部本体には、ヒンジと反対の側部に、ロック部に係止する係止部が形成されており、ヒンジ回りにカバー部が旋回して保持部本体の開放部を閉じるとロック部が係止部に係止して開放部分を閉じた状態を維持する構成である。そのロック部は、係止部に係止する第１ロック爪と第２ロック爪とを有し、第１ロック爪は、カバー部が保持部本体のワイヤハーネスの収容空間の上部の空間をやや拡げる姿勢で係止部に係止する位置に形成されており、第２ロック爪は、カバー部が保持部本体のワイヤハーネスの収容空間の上部の空間を拡げない姿勢で係止部に係止する位置に形成されており、ワイヤハーネスの数が多くても少なくても確実に保持する。
【００１１】
４本の突条が、Ｕ字溝の底面に１本のワイヤハーネスを位置決めしそのワイヤハーネスの上に２本のワイヤハーネスを積み重ねて整列させる輪郭を形成するように、設けられ、３本のワイヤハーネスが逆三角形に積み重ねて整列される。Ｕ字溝の中間高さ位置の内壁面から上方の開放部分までの内壁面は、Ｕ字溝の幅が、中間高さ位置より大きく形成されて、中間高さ位置の２本のワイヤハーネスの上面に３本のワイヤハーネスを整列した状態に積み重ねることのできる幅に形成されて、６本のワイヤハーネスが逆三角形に積み重ねて整列される。ハーネス押さえ片は、Ｕ字溝に収容されたワイヤハーネスの上面を弾性的に押圧する先端部を備え、先端部の横断面が、ワイヤハーネスの上面の長手方向の中程の部分を強く押さえる湾曲部を有する。
【００１２】
上記クランプにおいて、更に、ワイヤハーネス保持部には、パネル等の被取付部材に固定されるパネル固定部が一体成形されている。そのパネル固定部は、ワイヤハーネス保持部と一体に形成された本体部と、本体部に保持連結された金属製の保持片とから成り、保持片には一対の弾性係止片が形成されて、一対の弾性係止片が、パネルに立設された板形状の取付部を挟持する。
【発明を実施するための最良の形態】
【００１３】
以下、本発明の１実施形態に係る、複数本のワイヤハーネスのクランプ１について図面を参照して説明する。図１、図２及び図３には、それぞれ、クランプ１の平面図、正面図及び右側面図が示され、図４は図２のクランプ１のＡ−Ａ線断面図を示している。クランプ１は、パネル固定部５の金属製の保持片９を除いて、全体が硬質のプラスチック材料により一体成形され、パネル固定部５には金属製の保持片９が連結される。図５は、被取付部材としてのパネル２に、３本のワイヤハーネス３が、クランプ１によって取付けられた様子を示す。図６は、クランプ１に６本のワイヤハーネス３が保持された様子を示す図である。
【００１４】
図１〜図４を参照して、クランプ１の構成を説明する。クランプ１は、パネル固定部５とワイヤハーネス保持部６とから成る。パネル固定部５は、図５に図示のように、パネル２に立設した板形状の取付部７を咥えて保持する。パネル固定部５は、板形状の取付部７を咥えて保持するため、ワイヤハーネス保持部６と一体に形成されて全体としてＵ字形状に形成された本体部８と、この本体部８に収容されて連結される、全体としてＵ字形状に形成された金属製の保持片９とから成る。Ｕ字形状に形成された保持片９の２つの端部には一対の弾性係止片９Ａが形成されて、図５に図示の、パネル２に立設した板形状の取付部７を咥えて保持する。クランプ１は、図４の板形状の取付部７を、一対の弾性係止片９Ａの間に受入れるようにパネル２に押込まれると、パネル２に固定される。保持片９は本体部８に形成されたＵ字形状の溝に嵌合によって連結される。本体部８には保持片９の脱落を防止するストッパ８Ａが形成されている。
【００１５】
なお、図示の実施形態において、パネル固定部５は、パネルへの固定力を強固にするため、本体部８と本体部８に収容されて保持連結される金属製の保持片９とから構成されているが、保持部８と保持片９を硬質プラスチックで一体成形して、弾性係止片９Ａを硬質プラスチックで形成してもよい。更に、保持片９は、図示の例では、図２において右側からパネル２の取付部７を受入れる形状に形成されているが、パネル２の取付部７を図２の左側からあるいは下側から受入れる形状であってもよい。そして、パネル固定部５は、他の形状であってもよく、例えば、パネル２に、ねじあるいは周溝が形成された棒状スタッドが立設されている場合、その棒状スタッドを受入れて係止する形状に形成されてもよく、その外にも、パネル２に取付穴が形成されている場合、その取付穴に挿入されて係止する錨脚クリップ形状のものであってもよい。
【００１６】
ワイヤハーネス保持部６は、パネル固定部５の本体部８に一体成形によって固く連結されており、図１に図示のように、複数のワイヤハーネスのそれぞれを一定の長さにわたって保持するように、一定の幅（図１の上下方向の長さ）を有する。ワイヤハーネス保持部６は、図２に示すように、開放した上面から下方に向けてほぼＵ字形状に形成されて、複数本のワイヤハーネスを収容するＵ字溝１２が形成された剛体の保持部本体１０と、保持部本体１０の開放部分を閉じるカバー部１１とから成る。保持部本体１０は、図２のＵ字溝１２の空間の中間高さ位置の内壁面から底面において、複数本のワイヤハーネスを底面から、例えば逆三角形に積み重ねるように、整列させる複数の突条１３が、ワイヤハーネスの長手方向（図１の上下方向）に延びて形成されている。図示の実施形態において、４本の突条１３が、底面に１本のワイヤハーネスを位置決めし、そのワイヤハーネスの上に２本のワイヤハーネスを積み重ねて整列させる輪郭を形成するように設けられている。これによって、図５に図示のように、３本のワイヤハーネスが逆三角形に積み重ねて整列される。
【００１７】
保持部本体１０は、Ｕ字溝１２の空間の中間高さ位置の内壁面から上方の開放部分までの内壁面は、更に多くのワイヤハーネスを整列した状態に積み重ねるように、Ｕ字溝１２の幅が、中間高さ位置より大きく形成されている。図示の実施形態において、図６に図示のように、中間高さ位置の２本のワイヤハーネスの上方に、３本のワイヤハーネスを整列した状態に積み重ねることのできる幅のＵ字溝１２に形成されている。これによって、図６に図示のように、６本のワイヤハーネスが逆三角形に積み重ねて整列される。このように、保持部本体１０は、Ｕ字溝１２の底面側の内壁面の突条１３によって、逆三角形にワイヤハーネスを積み重ねて整列でき、更に、その上方に、連続する逆三角形に収容できる幅に形成されている。これらによって、ワイヤハーネスを事前に整列する必要なしに、ワイヤハーネスを引っ張った状態で保持部本体１０のＵ字溝１２に配置することで整列させて保持できる。
【００１８】
保持部本体１０には、カバー部１１の側と反対の側に、カバー部１１のロック爪２１又は２２と係止する係止肩を形成する係止部１５が形成されている。係止部１５は、図２において、左側の保持部本体１０の部分に形成されており、破線で示されている。なお、保持部本体１０の底部とパネル固定部５の上部側壁との境界部分には、連結強度を増すためのリブ１６、１７が形成されている。
【００１９】
カバー部１１の一端は、保持部本体１０の一方の側部に、薄板形状のヒンジ１８を介して、ヒンジ１８回りに旋回可能に連結されている。カバー部１１は、ヒンジ１８回りに旋回して、保持部本体１０のＵ字溝１２に収容されて保持された複数本のワイヤハーネス３の上部を閉じ、ワイヤハーネス３の抜け出し阻止する。そのため、カバー部１１には、先端側（図２の上端側）にロック部１９が形成されている。ロック部１９には、保持部本体１０の係止部１５に係止する第１ロック爪２１と第２ロック爪２２が形成されている。第１ロック爪２１は、図２において倒立したＬ字型に形成されたロック部１９の先端側に形成されており、第２ロック爪２２は、第１ロック爪２１より根元側に形成されている。第１ロック爪２１は、係止部１５に係止すると、カバー部１１が図６に示すように左側において上がった傾いた姿勢に閉じて、保持部本体１０のワイヤハーネスを支持する空間の上部を、ワイヤハーネスの収容本数を増加するようにやや拡げる。図示の実施形態では、６本のワイヤハーネスを整列した状態に収容し保持する。
【００２０】
第２ロック爪２２は、係止部１５に係止すると、カバー部１１が図５に示すように水平な姿勢に閉じて、保持部本体１０ワイヤハーネスを支持する空間の上部を拡げることはなく、保持部本体１０のＵ字溝１２の中間高さ位置から底面側の空間だけにワイヤハーネスを収容する。図示の実施形態では、３本のワイヤハーネスを整列した状態に収容し保持する。第１ロック爪２１と第２ロック爪２２とは、図５及び図６に示されるように、保持すべきワイヤハーネス３の数によって係止部１５への係止が選択される。これは、保持すべきワイヤハーネス３の数によって、収容容量が増すからである。なお、第１ロック爪２１と第２ロック爪２２のそれぞれの係止位置は、保持すべきワイヤハーネス３の直径とその数による収容形状の幾何学的寸法によって選定される。
【００２１】
カバー部１１には、Ｕ字溝１２に収容された複数本のワイヤハーネス３の上部を、弾性的に支持するとともに、包むように機能するハーネス押さえ片２３が形成されている。ハーネス押さえ片２３は、先端部２５（図２）が、Ｕ字溝１２の最上部のワイヤハーネスを弾性的に押さえるように形成されている。特に、図２のＡ−Ａ線断面図である図４に示すように、ハーネス押さえ片２３の先端部２５の真ん中においてその押さえ力を強くするように凸形状の湾曲部２４として形成されている。これによって、ハーネス押さえ片２３の先端部２５がＵ字溝１２にある複数のワイヤハーネスの上部を弾性的に強く押圧して、Ｕ字溝１２の内壁面とハーネス押さえ片２３の先端部２５とで、テープの巻き付けと同じ複数のワイヤハーネスを包む。弾性の先端部２５の押圧力によって、テープの巻き付けと同じ効果を発揮して、ワイヤハーネスの軸方向に直交する方向のがたつきを阻止するだけでなく、ワイヤハーネスが軸方向にスライドするのも阻止することができる。ハーネス押さえ片２３は先端部２５を含めて、図１に示すように、ロック部１９を間にして、カバー部１１の幅方向（図１の上下方向）の両側に形成されている。他の例では、保持部本体１０の幅全体に延びて形成されていてもよい。
【００２２】
なお、図２に示すように、カバー部１１は、薄肉のヒンジ１８に隣接する部分が右側に延びる剛性壁部２６として形成されている。これによって、カバー部１１は、ヒンジ１８回りに旋回して閉じた状態では、保持部本体１０に対して一定の高さで水平になり、カバー部１１のハーネス押さえ片２３が保持部本体１０の上部を適正な姿勢で閉じる。
【００２３】
剛性壁部２６には、図２の破線で示すように、下側及び右側に開放する窓形状の係止穴２７が形成されている。保持部本体１０には、カバー部１１に近い側のハーネス受け部１４に隣接した位置に、係止穴２７に向けて突出部２９が設けられている。カバー部１１がヒンジ１８回りに旋回したとき、突出部２９は、剛性壁部２６に形成された係止穴２７に挿入される。すなわち、カバー部１１がヒンジ１８回りに旋回してロック部１９のロック爪２１又は２２が保持部本体１０のロック部１９に係止すると、突出部２９が係止穴２７の挿入されて係止穴２７に形成された係止肩に係止して、カバー部１１の閉じ状態をロックする。従って、薄肉ヒンジ１８がなんらかの原因で破断したとしても、カバー部１１が閉じてロックした状態は維持されて、ワイヤハーネス３の保持状態が維持される。
【００２４】
かかる構成で成るクランプ１を用いて、３本のワイヤハーネス３をパネル２等の被取付部材に取付けた状態が図５に示されている。３本のワイヤハーネス３は、保持部本体１０のＵ字溝１２の底面に収容される。Ｕ字溝１２の底面には、複数（４本）の突条１３が、ワイヤハーネス３を底面から逆三角形に積み重ねるように整列させるように設けられて、Ｕ字溝１２の内壁面を、その底面に１本のワイヤハーネスを位置決めし、そのワイヤハーネスの上に２本のワイヤハーネスを積み重ねて整列させる輪郭にしている。突条１３によって、事前に整列する必要なしに、３本のワイヤハーネス３は、引っ張られた状態で保持部本体１０のＵ字溝１２に配置すれば、３本のワイヤハーネス３は、図５に示すように、突条１３に合わせて整列させられる。次に、カバー部１１をヒンジ１８回りに旋回させると、先ず、ロック部１９の第１ロック爪２１が保持部本体１０の係止部１５の係止肩に係止するが、３本のワイヤハーネス３の場合には更にカバー部１１を押込むことができ、第２ロック爪２２が係止部１５の係止肩に係止する。これによって、カバー部１１が閉じた状態にロックされる。このロック状態では、カバー部１１の壁部２６の係止穴２７に保持部本体１０の突出部２９が挿入されており、ヒンジ１８に加えてロック状態を確実に維持する。これによって、図５に図示のように、３本のワイヤハーネスが逆三角形に積み重ねて整列される。
【００２５】
ワイヤハーネス３が長い場合には、クランプ１はワイヤハーネス３の複数の個所に取付けられる。また、自動車のパネルにワイヤハーネスを取付ける場合、その配管レイアウトに従ってワイヤハーネスの所定個所にクランプ１は取付けられる。その後、パネル２に立設された取付部７に向けてパネル固定部５の弾性係止部９が押付けられて、パネル固定部５がパネル２に固定され、クリップ１を介して３本のワイヤハーネス３がパネル２に取付けられる。
【００２６】
ワイヤハーネス保持部６には、保持部本体１０のＵ字溝１２に、３本のワイヤハーネス３が収容されている。カバー部１０は、ヒンジ１８回りに旋回してロック部１９が、保持部本体１０の係止部１５に係止する位置にあり、第２ロック爪２２が、係止部１５の係止肩に係止している。これによって、ハーネス押さえ片２３の弾性の先端部２５が弾性的に撓んで３本のワイヤハーネス３の上部を包むように弾性的に押さえる。先端部２５の湾曲部２４（図４参照）は、その押圧力を強固にし、Ｕ字溝１２とハーネス押さえ片２３とによって外周全体が押圧するように包み込まれて、テープの巻き付けと同じ効果を受け、ワイヤハーネス３の軸方向に直交する方向のがたつきを阻止するだけでなく、ワイヤハーネスの軸方向のスライドも阻止する。
【００２７】
図６は、クランプ１に、異なる数のワイヤハーネス３が保持された様子を示している。図６において、６本のワイヤハーネス３がクリップ１に保持されている。この場合には、ロック部１９は、第１ロック爪２１が係止部１５の係止肩に係止している。この場合においても、Ｕ字溝１２の空間の中間高さ位置の内壁面から上方の開放部分までのＵ字溝１２の幅が、更に多くのワイヤハーネスを整列した状態に積み重ねるように、中間高さ位置より大きく形成されているので、図６に図示のように、中間高さ位置の２本のワイヤハーネスの上方に、３本のワイヤハーネスを整列した状態に積み重ねることができる。６本のワイヤハーネス３は、事前に整列する必要なしに、ワイヤハーネスを引っ張った状態で保持部本体１０のＵ字溝１２に配置することで整列させて保持される。６本のワイヤハーネス３は、Ｕ字溝１２の内壁面と弾性のハーネス押さえ片２３の先端部２５とによって外周全体が押圧するように包み込まれて、テープの巻き付けと同じ効果を受け、ワイヤハーネス３の軸方向に直交する方向のがたつきを阻止し、ワイヤハーネスの軸方向のスライドも阻止する。すなわち、ロック部１９は、第２ロック爪２２が係止部１５の係止肩に係止しており、このロック状態においても、６本のワイヤハーネス３はＵ字溝１２の内壁面とハーネス押さえ片２３の先端部２５とによって外周全体が押圧するように包み込まれ、テープの巻き付けと同じ効果を受け、ワイヤハーネス３の軸方向に直交する方向のがたつきを阻止し、ワイヤハーネスの軸方向のスライドも阻止する。
【００２８】
ハーネス押さえ片２３の先端部２５の撓み強さ、及び、湾曲部２４の湾曲の曲率半径の大きさは、図５及び図６のいずれの場合においても、複数本のワイヤハーネス３がテープの巻き付けと同じ効果を受ける強さで押圧して包み込まれるように、選定できる。
【００２９】
上記のように、複数本のワイヤハーネス（図示の実施形態では３本と６本のワイヤハーネスを保持する例を示したが、他の複数の数のワイヤハーネスも保持できる）を、同じクランプ１で、テープ巻き付けしたのと同じように保持でき、パネル等への被取付部材の取付け作業を容易にできる。従って、クランプ１によって、面倒なテープ巻き付け作業を廃止できるだけでなく、異なる本数のワイヤハーネスであっても、同じクランプで保持できるので、クランプの共用化が図れ、しかも、クランプを被取付部材へ取付ける作業が容易であるので、ワイヤハーネスの取付け作業を熟練を必要とせずに時間短縮できる。
【図面の簡単な説明】
【００３０】
【図１】本発明の１実施形態に係る、ワイヤハーネスのクランプの平面図である。
【図２】図１のクランプの正面図である。
【図３】図２のクランプの右側面図である。
【図４】図２のクランプのＡ−Ａ線断面図である。
【図５】図２のクランプに３本のワイヤハーネスを保持してパネルに取付けた状態を示す正面図である。
【図６】図２のクランプに６本のワイヤハーネスを保持した状態を示す正面図である。
【符号の説明】
【００３１】
１  ワイヤハーネスのクランプ
２  被取付部材としてのパネル
３  ワイヤハーネス
５  パネル固定部
６  ワイヤハーネス保持部
７  パネルの取付部
８  パネル固定部の本体部
８Ａ  ストッパ
９  保持片
９Ａ  弾性係止片
１０  保持部本体
１１  カバー部
１２  Ｕ字溝
１３  突条
１５  係止部
１６、１７  リブ
１８  ヒンジ
１９  ロック部
２１  第１ロック爪
２２  第２ロック爪
２３  ハーネス押さえ片
２４  ハーネス押さえ片の先端部の湾曲部
２５  ハーネス押さえ片の先端部
２６  剛性壁部
２７  係止穴
２９  突出部
【図１】
0005066731.tif 000002
【図２】
0005066731.tif 000003
【図３】
0005066731.tif 000004
【図４】
0005066731.tif 000005
【図５】
0005066731.tif 000006
【図６】
0005066731.tif 000007